(57)【要約】【課題】粗削りと仕上げの研磨が一本で行え、愛玩動物の爪研ぎを安全かつ簡単に行える爪研ぎ具を提供する。【解決手段】紙管を用いた筒状芯材２の外周に、サンドペーパー又はサンド布を用い、研磨面３ａ、３ｂを外側にした複数の研磨帯３、３を並列する螺旋状に巻着して爪研ぎ具１を形成し、前記各研磨帯３、３の研磨面３ａ、３ｂを粗さの異なる研磨面にしている。【選択図】図２
0003154599.tif 000002
【実用新案登録請求の範囲】
【請求項１】
紙管を用いた筒状芯材の外周に、研磨面を外側にして複数の研磨帯を並列する螺旋状に巻着し、前記各研磨帯の研磨面が粗さの異なる研磨面になっている爪研ぎ具。
【請求項２】
上記研磨帯が、サンドペーパー又はサンド布で形成されている請求項１に記載の爪研ぎ具。
【請求項３】
上記各研磨帯は、異なる色彩の着色が施されている請求項１又は２に記載の爪研ぎ具。
【請求項４】
上記筒状芯材は、外径が１０〜１５ｍｍで長さが１００〜１５０ｍｍの円筒状紙管で形成され、この筒状芯材に巻着した各研磨帯の幅が１２〜１８ｍｍである請求項１乃至３の何れかに記載の爪研ぎ具。
【考案の詳細な説明】
【技術分野】
【０００１】
この考案は、主に愛玩動物（ペット）の爪を研いだり磨くために用いる爪研ぎ具に関する。
【背景技術】
【０００２】
愛玩動物、例えば、猫や犬においては、爪が延びると様々な弊害が生じるため、定期的な爪研ぎを行う必要がある。
【０００３】
猫の爪研ぎを例に取った場合、ベースとなる本体の上面に研磨面が設けられ、適宜の場所に設置して置くことにより猫が自身で爪を研ぐようにするタイプの爪研ぎ具（例えば、特許文献１参照）と、爪切りやヤスリを用い、飼い主が積極的に爪を研ぐタイプの爪研ぎ具が存在する。
【０００４】
前者の猫が自身で爪を研ぐタイプの爪研ぎ具は、猫の修正を利用するものであるが、猫まかせであるので、必ずしも理想の爪とぎ状態が得られる保証はなく、猫の爪による弊害を確実に防ぐことができない。
【０００５】
これに対して、後者の爪切りやヤスリを用いた飼い主が爪を研ぐタイプの爪研ぎ具は、飼い主が爪を削ることで各爪を必要な状態に研ぎ上げることができ、爪研ぎを定期的に行うことで猫の爪による弊害を確実に防ぐことができることになる。
【先行技術文献】
【特許文献】
【０００６】
【特許文献１】実用新案登録第３１１２７８０号公報
【考案の概要】
【考案が解決しようとする課題】
【０００７】
ところで、従来の爪切りやヤスリを用いたタイプの爪研ぎ具は、爪きりの場合、爪を余分に切ってしまう危険性があり、切り口の周囲が鋭利となるので、爪の先が尖るという問題があり、また、ヤスリの場合、粗削りと仕上げ用の複数種類を用意しなければならず、しかも研磨面は平面であるので、爪を研ぐときに隣の爪と干渉し、研磨作業が行いにくいという問題がある。
【０００８】
そこで、この考案の課題は、一本で粗削りと仕上げの研磨が行え、爪研ぎを安全かつ簡単に行える爪研ぎ具を提供することにある。
【課題を解決するための手段】
【０００９】
上記の課題を解決するため、この考案は、紙管を用いた筒状芯材の外周に、研磨面を外側にして複数の研磨帯を並列する螺旋状に巻着し、前記各研磨帯の研磨面が粗さの異なる研磨面になっているようにしたものである。
【００１０】
上記研磨帯が、サンドペーパー又はサンド布で形成されているようにしたり、上記各研磨帯は、異なる色彩の着色が施されているようにすることができる。
【００１１】
また、上記筒状芯材は、外径が１０〜１５ｍｍで長さが１００〜１５０ｍｍの円筒状紙管で形成され、この筒状芯材に巻着した各研磨帯の幅が１２〜１８ｍｍであるようにすることができる。
【００１２】
ここで、筒状芯材は、周知の紙管製造機を用い、所定幅の紙を多層の螺旋巻きにすることにより形成され、各研磨帯は、この筒状芯材の形成時に並列状態で供給して外周に螺旋状で巻着し、完成して長尺物を所定の長さに切断することにより、爪研ぎ具が切り出されることになる。
【００１３】
上記各研磨帯の研磨面は、粗さの異なる研磨面になっているので、粗い研磨面で爪を粗削りした後、細かい研磨面で仕上げ削りを行えばよい。
【考案の効果】
【００１４】
この考案によると、紙管を用いた筒状芯材の外周に、研磨面が粗さの異なる複数の研磨帯を並列する螺旋状に巻着したので、全体の形状が円筒状となり、これを握って研磨面で爪を研ぐようにすればよく、単一の爪研ぎ具で爪の粗削りと仕上げ削りが持ち替えを必要とすることなく連続して行えることになる。
【００１５】
また、爪研ぎ具は、比較的細い円筒状であるので、研磨面が円弧となり、爪を研ぐときに隣の爪との干渉発生をなくすことができ、爪研ぎが安全かつ簡単に行える。
【００１６】
更に、研磨帯を螺旋状に巻着することにより、研磨面に十分な長さを確保することができ、使用可能期間を長くできると共に、各研磨帯を異なる色彩とすることにより、見た目に綺麗で商品価値の向上が図れ、愛玩動物の好む色彩を選ぶことで、愛玩動物が嫌がらずに爪を研ぐことができる。
【００１７】
また、筒状芯材を紙管とし、これにサンドペーパー又はサンド布の研磨帯を巻着することで、使用済み後の処理が環境にやさしいものとなる。
【図面の簡単な説明】
【００１８】
【図１】この考案に係る爪研ぎ具の斜視図
【図２】（ａ）は爪研ぎ具の正面図、（ｂ）は爪研ぎ具の使用状態を示す斜視図
【考案を実施するための形態】
【００１９】
以下、この考案の実施の形態を図示例に基づいて説明する。
【００２０】
図１と図２のように、爪研ぎ具１は、紙管を用いた筒状芯材２の外周に、研磨面を外側にして複数の研磨帯３、３を並列する螺旋状に巻着し、前記各研磨帯３、３の研磨面３ａ、３ｂが粗さの異なる研磨面になっている。
【００２１】
上記筒状芯材２は、周知の紙管製造機を用い、所定幅の帯状となる紙を多層の螺旋巻きにすることにより円筒状に形成され、各研磨帯３、３も所定の幅の帯状であり、前記筒状芯材２の形成時に並列状態で供給して外周に螺旋状で巻着して接着固定し、完成した長尺物を所定の長さに切断することにより、爪研ぎ具１が切り出されることになる。
【００２２】
上記研磨帯３、３には、サンドペーパー又はサンド布を用い、図示の場合、二枚の研磨帯３、３を並列させたが、それ以上の枚数でもよく、また、各研磨帯３、３には、異なる色彩の着色を施しているが、その色彩は、見た目に綺麗でカラフルとなり、愛玩動物が好む色を選択すればよい。
【００２３】
ちなみに、上記筒状芯材２は、片手で持って爪研ぎ作業が行いやすいように、外径が１０〜１５ｍｍで長さが１００〜１５０ｍｍの円筒状紙管で形成され、この筒状芯材２に巻着した各研磨帯３、３の幅は１２〜１８ｍｍに設定するのが好ましい。
【００２４】
この考案の爪研ぎ具は、上記のような構成であり、愛玩動物、例えば猫Ａの爪ａを研ぐ場合は、図２（ｂ）のように、片方の手で爪研ぎ具１を保持し、他方の手で猫Ａの足を持ち、研磨帯３、３の研磨面３ａ、３ｂで爪ａを研ぐようにすればよく、爪研ぎ具１は、外周面が粗さの異なる研磨面３ａ、３ｂになっているので、先ず、番手の粗い研磨面３ａで爪ａの粗削りを行い、次に、隣接する細かい番手の研磨面３ｂで仕上げ研ぎを行えばよく、爪研ぎ具１を持ち変えることなく、粗削りと仕上げ研ぎが連続して行える。
【００２５】
また、サンドペーパー又はサンド布による研磨面３ａ、３ｂは、爪ａを徐々に削ることになるので、爪ａを必要以上に研削するのを防ぐことができ、猫Ａに対して安全な爪研ぎが行え、また、研磨面３ａ、３ｂは円弧面になっているので、爪ａを研ぐときに隣の爪と干渉することがなく、爪ａを必要な状態に研ぐことができる。
【００２６】
上記爪研ぎ具１の研磨面３ａ、３ｂは、筒状芯材２の外周面に螺旋状となるよう形成されているので、十分な長さを確保することができ、その全長を有効に使用することにより、長く使えることになり、また、紙製の筒状芯材２とサンドペーパー又はサンド布で形成されているので、爪研ぎ具１の使用済後の廃棄に対して、環境にやさしいものなる。
【００２７】
なお、この考案の爪研ぎ具１は、猫Ａの爪研ぎだけでなく、犬やモルモット、鳥等の愛玩動物に広く使用することができる。
【符号の説明】
【００２８】
１        爪研ぎ具
２        筒状芯材
３        研磨帯
３ａ      研磨面
３ｂ      研磨面
【図１】
0003154599.tif 000003
【図２】
0003154599.tif 000004